(57)【要約】【課題】不特定者により一方的に画像が閲覧されて個人が特定される可能性を軽減して、交際紹介システムの利用を促進することができるようにする。【解決手段】ボカシ画像公開部１５がボカシ画像記憶部１４により記憶されているボカシ画像を公開しているとき、交換申込受付部１６により交換申込が受け付けられると、交換確認部１７が、申込者のボカシ画像を相手方に提示して、相手方が画像交換の申込に応じるかを確認し、交換確認部１７により画像交換の申込に応じることが確認されると、画像交換部１９が、ボカシ画像公開部１５により公開されている相手方のボカシ画像より鮮明度が高い相手方の画像を申込者に提示するとともに、申込者のボカシ画像より鮮明度が高い申込者の画像を相手方に提示する。【選択図】図１
2010086214.tif 000002
【特許請求の範囲】
【請求項１】
交際相手の紹介を希望する紹介希望者の画像を登録し、前記画像の閲覧を受け付ける交際紹介システムの画像閲覧制御装置において、
紹介希望者の画像を収集する画像収集手段と、
前記画像収集手段により収集された原画像の鮮明度を低減して、鮮明度低減後の画像をボカシ画像として登録するボカシ画像登録手段と、
前記ボカシ画像登録手段により登録されているボカシ画像を公開するボカシ画像公開手段と、
前記ボカシ画像公開手段により公開されているボカシ画像を見ている紹介希望者から、前記ボカシ画像に係る紹介希望者を相手方とした画像交換の申込を受け付ける交換申込受付手段と、
前記交換申込受付手段により交換申込が受け付けられると、前記交換申込を行った紹介希望者である申込者のボカシ画像を、前記相手方に提示して、その相手方が画像交換の申込に応じるかを確認する交換確認手段と、
前記交換確認手段により前記相手方が画像交換の申込に応じることが確認されると、前記ボカシ画像公開手段により公開されている相手方のボカシ画像より鮮明度が高い相手方の画像を前記申込者に提示するとともに、申込者のボカシ画像より鮮明度が高い申込者の画像を前記相手方に提示する画像交換手段と、
を備えたことを特徴とする交際紹介システムの画像閲覧制御装置。
【請求項２】
前記画像交換手段は、前記申込者及び前記相手方に画像を提示する際、通信ネットワーク上に存在する一又は二以上の交流サービスの個々に予め付与したレベル番号と、前記申込者と前記相手方がどの前記交流サービスを利用したかの情報と、に基いて、前記申込者と前記相手方間の交流の進み具合を判別し、交流の進み具合の大きさに応じてボカシレベルを低減した画像を、前記申込者及び前記相手方に提示するように構成されたことを特徴とする請求項１記載の交際紹介システムの画像閲覧制御装置。
【請求項３】
前記ボカシ画像登録手段は、前記画像収集手段により収集された原画像に対するボカシレベルの設定を受け付け、前記ボカシレベルに応じて前記画像収集手段により収集された画像の鮮明度を調節するように構成され、
前記ボカシレベルは、前記原画像と、鮮明度を所定の最大限度まで低減した画像と、の間の鮮明度レベルを示していることを特徴とする請求項１又は２記載の交際紹介システムの画像閲覧制御装置。
【請求項４】
前記ボカシ画像公開手段及び前記交換確認手段は、ボカシ画像を提示する際、前記ボカシ画像と一緒に前記ボカシ画像のボカシレベルを表示するように構成され、
前記ボカシレベルは、前記原画像と、鮮明度を所定の最大限度まで低減した画像と、の間の鮮明度レベルを示していることを特徴とする請求項１から３のいずれか１つに記載の交際紹介システムの画像閲覧制御装置。
【請求項５】
前記交換確認手段は、前記相手方が画像交換の申込に応じる場合、どのボカシレベルの画像まで交換を許容するかを確認して、前記ボカシレベルを前記申込者に提示し、前記申込者が前記ボカシレベルの画像の交換に応じるかを確認するように構成され、
前記画像交換手段は、前記交換確認手段により前記ボカシレベルの画像の交換に応じることが確認されると、前記相手方の前記ボカシレベルの画像を前記申込者に提示するとともに、前記申込者の前記ボカシレベルの画像を前記相手方に提示するように構成されたことを特徴とする請求項１から４のいずれか１つに記載の交際紹介システムの画像閲覧制御装置。
【請求項６】
前記画像交換手段は、前記交換確認手段により画像交換の申込に応じることが確認されると、前記画像収集手段により収集された前記相手方の画像である原画像を前記申込者に提示するとともに、前記画像収集手段により収集された前記申込者の画像である原画像を前記相手方に提示するように構成されたことを特徴とする請求項１から５のいずれか１つに記載の交際紹介システムの画像閲覧制御装置。
【請求項７】
コンピュータが交際相手の紹介を希望する紹介希望者の画像を登録し、前記画像の閲覧を受け付ける交際紹介システムの画像閲覧制御方法において、
前記コンピュータの画像収集手段が、紹介希望者の画像を収集する画像収集ステップと、
前記コンピュータのボカシ画像登録手段が、前記画像収集ステップで収集した原画像の鮮明度を低減して、鮮明度低減後の画像をボカシ画像として前記コンピュータの記憶部に登録させるボカシ画像登録ステップと、
前記コンピュータのボカシ画像公開手段が、前記記憶部に登録されているボカシ画像を公開するボカシ画像公開ステップと、
前記コンピュータの交換申込受付手段が、前記ボカシ画像公開ステップで公開しているボカシ画像を見ている紹介希望者から、前記ボカシ画像に係る紹介希望者を相手方とした画像交換の申込を受け付ける交換申込受付ステップと、
前記コンピュータの交換確認手段が、前記交換申込受付ステップで交換申込を受け付けると、前記交換申込を行った紹介希望者である申込者のボカシ画像を、前記相手方に提示して、その相手方が画像交換の申込に応じるかを確認する交換確認ステップと、
前記コンピュータの画像交換手段が、前記交換確認ステップで前記相手方が画像交換の申込に応じることを確認すると、前記ボカシ画像公開ステップで公開している相手方のボカシ画像より鮮明度が高い相手方の画像を前記申込者に提示するとともに、申込者のボカシ画像より鮮明度が高い申込者の画像を前記相手方に提示する画像交換ステップと、
を備えたことを特徴とする交際紹介システムの画像閲覧制御方法。
【請求項８】
交際相手の紹介を希望する紹介希望者の画像を登録し、前記画像の閲覧を受け付ける処理をコンピュータに実行させるための交際紹介システムの画像閲覧制御プログラムであって、
紹介希望者の画像を収集する画像収集処理手順と、
前記画像収集処理手順により収集された原画像の鮮明度を低減して、鮮明度低減後の画像をボカシ画像として登録するボカシ画像登録処理手順と、
前記ボカシ画像登録処理手順により登録されているボカシ画像を公開するボカシ画像公開処理手順と、
前記ボカシ画像公開処理手順により公開されているボカシ画像を見ている紹介希望者から、前記ボカシ画像に係る紹介希望者を相手方とした画像交換の申込を受け付ける交換申込受付処理手順と、
前記交換申込受付処理手順により交換申込が受け付けられると、前記交換申込を行った紹介希望者である申込者のボカシ画像を、前記相手方に提示して、その相手方が画像交換の申込に応じるかを確認する交換確認処理手順と、
前記交換確認処理手順により前記相手方が画像交換の申込に応じることが確認されると、前記ボカシ画像公開処理手順により公開されている相手方のボカシ画像より鮮明度が高い相手方の画像を前記申込者に提示するとともに、申込者のボカシ画像より鮮明度が高い申込者の画像を前記相手方に提示する画像交換処理手順と、
をコンピュータに実行させるための交際紹介システムの画像閲覧制御プログラム。
【発明の詳細な説明】
【技術分野】
【０００１】
この発明は、交際相手の紹介を希望する紹介希望者の画像を登録し、前記画像の閲覧を受け付ける交際紹介システムの画像閲覧制御装置、画像閲覧制御方法及び画像閲覧制御プログラムに関するものである。
【背景技術】
【０００２】
従来より、交際相手の紹介を希望する紹介希望者の顔写真（画像）を登録し、その顔写真の閲覧を受け付ける交際紹介システムが開発されている（例えば、非特許文献１を参照）。ただし、交際紹介システムにおける顔写真の登録自体は任意であり、閲覧を受け付ける顔写真は、任意に登録されている顔写真が対象になる。
【０００３】
前記の交際紹介システムの他に、紹介希望者が携帯電話の画像閲覧ボタンを操作すると、会員登録ページに登録されている他の紹介希望者の顔写真を、その携帯電話の表示部に表示する交際紹介システムが開発されている（例えば、特許文献１を参照）。
【０００４】
【非特許文献１】http://partner.yahoo.co.jp/
【特許文献１】特開２００１−９２８９２号公報（段落［００７９］、図３）
【発明の開示】
【発明が解決しようとする課題】
【０００５】
非特許文献１及び特許文献１に開示されている交際紹介システムでは、顔写真が登録されると、名前などの個人情報を隠していても、顔写真が公開されるため、紹介希望者の知人などが顔写真を見れば、容易に個人を特定することができる。このため、顔写真の登録に抵抗がある人は、交際相手の紹介サービスの申込に躊躇することがあるなどの問題点があった。
【０００６】
この発明は前記のような課題を解決するためになされたもので、不特定者により一方的に画像が閲覧されて個人が特定される可能性を軽減して、交際紹介システムの利用を促進することができる画像閲覧制御装置、画像閲覧制御方法及び画像閲覧制御プログラムを得ることを目的とする。
【課題を解決するための手段】
【０００７】
（１）この発明に係る交際紹介システムの画像閲覧制御装置は、交際相手の紹介を希望する紹介希望者の画像を登録し、前記画像の閲覧を受け付けるものであって、紹介希望者の画像を収集する画像収集手段と、前記画像収集手段により収集された原画像の鮮明度を低減して、鮮明度低減後の画像をボカシ画像として登録するボカシ画像登録手段と、前記ボカシ画像登録手段により登録されているボカシ画像を公開するボカシ画像公開手段と、前記ボカシ画像公開手段により公開されているボカシ画像を見ている紹介希望者から、前記ボカシ画像に係る紹介希望者を相手方とした画像交換の申込を受け付ける交換申込受付手段と、前記交換申込受付手段により交換申込が受け付けられると、前記交換申込を行った紹介希望者である申込者のボカシ画像を、前記相手方に提示して、その相手方が画像交換の申込に応じるかを確認する交換確認手段と、前記交換確認手段により前記相手方が画像交換の申込に応じることが確認されると、前記ボカシ画像公開手段により公開されている相手方のボカシ画像より鮮明度が高い相手方の画像を前記申込者に提示するとともに、申込者のボカシ画像より鮮明度が高い申込者の画像を前記相手方に提示する画像交換手段と、を備えたことを特徴とするものである。
【０００８】
（１−２）この発明を方法の観点から把握すると、コンピュータが交際相手の紹介を希望する紹介希望者の画像を登録し、前記画像の閲覧を受け付ける交際紹介システムの画像閲覧制御方法は、前記コンピュータの画像収集手段が、紹介希望者の画像を収集する画像収集ステップと、前記コンピュータのボカシ画像登録手段が、前記画像収集ステップで収集した原画像の鮮明度を低減して、鮮明度低減後の画像をボカシ画像として前記コンピュータの記憶部に登録させるボカシ画像登録ステップと、前記コンピュータのボカシ画像公開手段が、前記記憶部に登録されているボカシ画像を公開するボカシ画像公開ステップと、前記コンピュータの交換申込受付手段が、前記ボカシ画像公開ステップで公開しているボカシ画像を見ている紹介希望者から、前記ボカシ画像に係る紹介希望者を相手方とした画像交換の申込を受け付ける交換申込受付ステップと、前記コンピュータの交換確認手段が、前記交換申込受付ステップで交換申込を受け付けると、前記交換申込を行った紹介希望者である申込者のボカシ画像を、前記相手方に提示して、その相手方が画像交換の申込に応じるかを確認する交換確認ステップと、前記コンピュータの画像交換手段が、前記交換確認ステップで前記相手方が画像交換の申込に応じることを確認すると、前記ボカシ画像公開ステップで公開している相手方のボカシ画像より鮮明度が高い相手方の画像を前記申込者に提示するとともに、申込者のボカシ画像より鮮明度が高い申込者の画像を前記相手方に提示する画像交換ステップと、を備えたことを特徴とする。
【０００９】
（１−３）この発明をコンピュータ・プログラムの観点から把握すると、交際相手の紹介を希望する紹介希望者の画像を登録し、前記画像の閲覧を受け付ける処理をコンピュータに実行させるための交際紹介システムの画像閲覧制御プログラムは、紹介希望者の画像を収集する画像収集処理手順と、前記画像収集処理手順により収集された原画像の鮮明度を低減して、鮮明度低減後の画像をボカシ画像として登録するボカシ画像登録処理手順と、前記ボカシ画像登録処理手順により登録されているボカシ画像を公開するボカシ画像公開処理手順と、前記ボカシ画像公開処理手順により公開されているボカシ画像を見ている紹介希望者から、前記ボカシ画像に係る紹介希望者を相手方とした画像交換の申込を受け付ける交換申込受付処理手順と、前記交換申込受付処理手順により交換申込が受け付けられると、前記交換申込を行った紹介希望者である申込者のボカシ画像を、前記相手方に提示して、その相手方が画像交換の申込に応じるかを確認する交換確認処理手順と、前記交換確認処理手順により前記相手方が画像交換の申込に応じることが確認されると、前記ボカシ画像公開処理手順により公開されている相手方のボカシ画像より鮮明度が高い相手方の画像を前記申込者に提示するとともに、申込者のボカシ画像より鮮明度が高い申込者の画像を前記相手方に提示する画像交換処理手順と、をコンピュータに実行させるためのものである。
【００１０】
これらの発明によれば、不特定者により一方的に画像が閲覧されて個人が特定される可能性を軽減して、交際紹介システムの利用を促進することができる画像閲覧制御装置が得られる。
また、鮮明な画像を見せてもよいと思われる相手とは、鮮明な画像を相互に交換することができるため、個人が特定される可能性を軽減しつつ、相手の容姿をはっきり確認することができる。
【００１１】
（２）（１）の画像閲覧制御装置において、前記申込者及び前記相手方に画像を提示する際、通信ネットワーク上に存在する一又は二以上の交流サービスの個々に予め付与したレベル番号と、前記申込者と前記相手方がどの前記交流サービスを利用したかの情報と、に基いて、前記申込者と前記相手方間の交流の進み具合を判別し、交流の進み具合の大きさに応じてボカシレベルを低減した画像を、前記申込者及び前記相手方に提示するように構成されてもよい。
この発明によれば、鮮明な画像を見せてもよいと思われる相手でも、直ちに鮮明度が高い原画像の閲覧を許可せずに、交流の進み具合に応じて、閲覧を許可する画像の鮮明度を段階的に高めることができる。このため、交流の進み具合に応じて、個人が特定されることによる不利益を負担することができる画像閲覧制御装置が得られる。
【００１２】
（３）（１）又は（２）の前記ボカシ画像登録手段において、前記画像収集手段により収集された原画像に対するボカシレベルの設定を受け付け、前記ボカシレベルに応じて前記画像収集手段により収集された画像の鮮明度を調節するように構成され、前記ボカシレベルは、前記原画像と、鮮明度を所定の最大限度まで低減した画像と、の間の鮮明度レベルを示すようにしていてもよい。
この発明によれば、鮮明度が低いボカシ画像を登録する際に、紹介希望者がボカシ画像のボカシレベルを自由に設定することができる。このため、紹介希望者が、他の紹介希望者から交際申込が得られる可能性と、公開されることにより個人が特定される不利益を比較考量して、自分のボカシ画像を生成することができる画像閲覧制御装置が得られる。
【００１３】
（４）（３）の前記ボカシ画像登録手段において、前記ボカシ画像公開手段は、ボカシ画像を提示する際、前記ボカシ画像と一緒に前記ボカシ画像のボカシレベルを表示するように構成され、前記ボカシレベルは、前記原画像と、鮮明度を所定の最大限度まで低減した画像と、の間の鮮明度レベルを示すようにしていてもよい。
この発明によれば、ボカシ画像を見ている紹介希望者が、そのボカシ画像のボカシレベルから原画像の鮮明度を推測することができるようになるため、画像交換の是非を慎重に行える画像閲覧制御装置が得られる。
【００１４】
（５）（１）から（４）の前記ボカシ画像登録手段において、前記交換確認手段は、前記相手方が画像交換の申込に応じる場合、どのボカシレベルの画像まで交換を許容するかを確認して、前記ボカシレベルを前記申込者に提示し、前記申込者が前記ボカシレベルの画像の交換に応じるかを確認するように構成され、前記画像交換手段は、前記交換確認手段により前記ボカシレベルの画像の交換に応じることが確認されると、前記相手方の前記ボカシレベルの画像を前記申込者に提示するとともに、前記申込者の前記ボカシレベルの画像を前記相手方に提示するように構成されてもよい。
この発明によれば、交換してもよいと思う画像のボカシレベルを相手方に通知して、そのボカシレベルでの画像交換を実現することができる。このため、個人が特定される可能性を更に軽減することができる画像閲覧制御装置が得られる。
【００１５】
（６）（１）から（５）の前記ボカシ画像登録手段において、前記画像交換手段は、前記交換確認手段により画像交換の申込に応じることが確認されると、前記画像収集手段により収集された前記相手方の画像である原画像を前記申込者に提示するとともに、前記画像収集手段により収集された前記申込者の画像である原画像を前記相手方に提示するように構成されてもよい。
この発明によれば、最も鮮明度が高い画像が交換されるようになるため、相手の容姿をはっきり確認することができる画像閲覧制御装置が得られる。
【発明の効果】
【００１６】
この発明によれば、不特定者により一方的に画像が閲覧されて個人が特定される可能性を軽減して、交際紹介システムの利用を促進することができる効果がある。
【発明を実施するための最良の形態】
【００１７】
次に、上記のような本発明を実施するための複数の最良の実施形態について、図に沿って説明する。
【００１８】
〔１．第１実施形態の構成〕
〔１−１．全体構成〕＜装置構成＞
第１実施形態は、図１（構成図）に示すように、画像閲覧制御装置１と、ユーザ端末２，３と、をインターネットに代表される通信ネットワーク４で接続することによって構成する交際紹介システムに関するもので、このうち特に本発明の対象である画像閲覧制御装置１は、例えばサーバコンピュータなどとして構成されるもので、以下単に「サーバ」とも略称することとする。
【００１９】
〔１−２．ユーザ端末の構成〕
ユーザ端末２，３は、比較的簡易なコンピュータ（例えば、パーソナルコンピュータ、モバイルコンピュータ、携帯電話）で構成されており、例えば、インターネットやイントラネットなどの通信ネットワーク４と接続することが可能な通信インタフェース（例えば、有線又は無線のＬＡＮアダプタ、モデム）を備えている。
ユーザ端末２，３は、交際相手の紹介を希望する紹介希望者（以下「会員」とも呼ぶ）が、例えば、自分の顔写真（画像）をサーバ１に登録する場合や、サーバ１により公開されている画像を閲覧する場合や、他の会員と画像の交換を行う場合などに、通信ネットワーク４を介して、サーバ１にアクセスする。
【００２０】
ここでは、説明の便宜上、ユーザ端末２を使用するユーザを「会員Ａ」と称し、ユーザ端末３を使用するユーザを「会員Ｂ」と称する。また、会員Ａが画像交換の申込受側、会員Ｂが画像交換の申込側の場合について説明する。
図１では、ユーザ端末が２台だけ通信ネットワーク４に接続されている例を示しているが、実際には、数多くのユーザ端末が通信ネットワーク４に接続されている。
【００２１】
〔１−３．サーバの概要構成〕
また、サーバ１は、図示はしないが、主メモリや外部記憶装置（ハードディスクドライブ）などの記憶装置と、ＣＰＵなどの演算制御部と、通信ネットワーク４との通信手段（ルータ、ゲートウェイ、ブロードバンドモデムなど）と、を有する。
そして、サーバ１では、前記記憶装置に予め記憶された画像閲覧制御プログラムを実行することで前記演算制御部が、画像収集部１１と、ボカシ画像登録部１３と、ボカシ画像公開部１５と、交換申込受付部１６と、交換確認部１７と、画像交換部１９と、を実現する他、これら各部の動作に用いるいくつかの記憶部１２，１４，１８を実現している。
これら各部１１，１３，１５，１７，１９は、本発明及び本実施形態を構成する後述するような各機能や作用を実現・実行する処理手段である。また、記憶部１２，１４，１８は、サーバ１の前記記憶装置の一部に構成され、画像など後述する各データを記憶するファイルやデータベースなどである。
〔１−４．サーバの具体的構成〕
上記各部のうち、まず、画像収集部１１は、ユーザ端末２や３から、各端末を用いる各会員ＡやＢの鮮明な顔写真等の原画像を画像データとして収集し、その鮮明度が高い原画像の画像データを原画像記憶部１２に登録する画像収集手段である。この原画像記憶部１２は、画像収集部１１により収集された原画像の画像データを記憶する原画像記憶手段である。
【００２２】
また、ボカシ画像登録部１３は、画像収集部１１により収集された原画像の鮮明度を低減し、鮮明度低減後の画像をボカシ画像として、そのボカシ画像の画像データをボカシ画像記憶部１４に登録するボカシ画像登録手段である。このボカシ画像記憶部１４は、ボカシ画像登録部１３により生成されたボカシ画像の画像データを記憶する。
【００２３】
また、ボカシ画像公開部１５は、ボカシ画像記憶部１４により記憶されているボカシ画像を公開するボカシ画像公開手段である。即ち、ボカシ画像公開部１５は、サーバコンピュータの通信手段を使用して、例えば、ユーザ端末３からボカシ画像の閲覧要求を受信すると、ボカシ画像記憶部１４により記憶されているボカシ画像の画像データから、画像登録が行われている会員のボカシ画像が掲載されている画像交換申込画面ＭＧを生成し、その画像交換申込画面ＭＧの画面データを閲覧要求元のユーザ端末３に送信する処理を実施する。
【００２４】
また、交換申込受付部１６は、サーバコンピュータの通信手段を使用して、画像交換申込画面ＭＧを見ている会員Ｂから、その画像交換申込画面ＭＧに掲載されているボカシ画像に係る会員Ａに対する画像交換の申込を受け付ける交換申込受付手段である。
【００２５】
また、交換確認部１７は、交換申込受付部１６により交換申込が受け付けられると、サーバコンピュータの通信手段を使用して、交換申込側の会員（以下、単に「申込者」とも呼ぶ）Ｂのボカシ画像を申込受側の会員（以下、単に「相手方」とも呼ぶ）Ａに提示して、相手方Ａが画像交換の申込に応じるかを確認する交換確認手段である。
画像交換実施者記憶部１８は、このように画像交換に応じている会員の組み合わせを記憶する交換記憶手段である。
【００２６】
また、画像交換部１９は、交換確認部１７により画像交換の申込に応じることが確認されると、サーバコンピュータの通信手段を使用して、ボカシ画像公開部１５により公開されている相手方Ａのボカシ画像より鮮明度が高い相手方Ａの画像を、申込者Ｂに提示するとともに、申込者Ｂのボカシ画像より鮮明度が高い申込者Ｂの画像を相手方Ａに提示する画像交換手段である。
【００２７】
〔２．第１実施形態の作用〕
上記のように構成したサーバの動作について、ボカシ画像を登録する際の処理内容を図２のフローチャートに示し、鮮明度の高い原画像を交換する際の処理内容を図３のフローチャートに示し、以下、これら図２及び図３のフローチャートを参照して説明する。
【００２８】
〔２−１．画像の登録受付〕
最初に、画像収集部１１により、ボカシ画像が登録される際の処理内容を説明する。
例えば、交際相手の紹介を希望する会員Ａが、サーバ１が提供している交際紹介サービスを利用する場合、ユーザ端末２を操作して、当該サービスのウェブサイトにアクセスし、ＩＤやパスワード等でログインのうえ、所定のハイパーリンクの操作などにより、画像の登録要求を通信ネットワーク４経由でサーバ１に送信する。
この「画像の登録要求」は、各ユーザ端末２や３などがサーバ１に対して、画像の登録を要求する制御信号を意味し、サーバ１の画像収集部１１は、サーバの前記通信手段を用いて、例えばユーザ端末２から通信ネットワーク４経由で画像の登録要求を受信すると（図２のステップＳＴ１）、原画像の送信要求をユーザ端末２に送信する（ステップＳＴ２）。
【００２９】
この場合、会員Ａは、ユーザ端末２がサーバ１から原画像の送信要求を受信すると、例えば画像ファイルアップロード用のファイル選択画面などが表示されるので、ユーザ端末２を操作して、会員自身の顔を中心に自分の風貌を写した高鮮明度の顔写真など（「原画像」と呼ぶ）の画像データを、通信ネットワーク４経由でサーバ１に送信（アップロード）する。
サーバ１の画像収集部１１は、ユーザ端末２から通信ネットワーク４経由で会員Ａの顔写真（原画像）の画像データを受信すると（ステップＳＴ３）、その原画像の画像データを原画像記憶部１２に登録する（ステップＳＴ４）。
【００３０】
もちろん、顔写真の画像データの登録に限らず、画像データ登録の際や、事前又は事後に、文字列などによるプロフィール等の登録を適宜受け付けてもよい。
交際相手の紹介を希望する会員Ｂが、サーバ１が提供している交際紹介サービスを利用する場合も、同様にして、ユーザ端末３から会員Ｂの顔が写されている高鮮明度の原画像の画像データを収集して、その原画像の画像データを原画像記憶部１２に登録する。
【００３１】
〔２−２．ボカシ画像の生成〕
上記のように、画像収集部１１が会員Ａ，Ｂの原画像の画像データを収集すると、続いて、ボカシ画像登録部１３が、それら原画像の鮮明度を低減し、ボカシ画像を生成する（ステップＳＴ５）。
ここで、「ボカシ画像」は、いわゆる画像がぼけている狭義の意味のボカシ画像のほかに、原画像にモザイクが施されているモザイク画像や、網掛け、シェード、グラデーション、ウォッシュアウト、フィルターなどによって補正された画像なども含む広い概念である。
したがって、原画像の鮮明度を低減してボカシ画像を生成する具体的処理手法は自由であるが、例えば、指定数の画素（例えば、４画素、９画素）毎に、その画素値を平均値に置き換えるなどのフィルタ処理の他、各画素の明度を極端に上げる処理や、ガウス関数の確率分布にしたがって光を分散する処理など、自由に採用可能である。
【００３２】
図４は、画素値を平均値に置き換えることで、ボカシ画像を生成する画像処理を示す説明図であり、一例として、４画素ごとの画素値の平均値を求め、それら４画素の画素値をともに同じ平均値に置き換えている例を示している。
例えば、原画像（図４（ａ）を参照）における４個の画素ａ１，ａ２，ａ３，ａ４に着目し、４個の画素ａ１，ａ２，ａ３，ａ４の画素値をそれぞれｇ１，ｇ２，ｇ３，ｇ４とすると、ボカシ画像（図４（ｂ）を参照）における４個の画素ｂ１，ｂ２，ｂ３，ｂ４の画素値ｐ１，ｐ２，ｐ３，ｐ４は下記の通りとなる。
ｐ１＝ｐ２＝ｐ３＝ｐ４＝（ｇ１＋ｇ２＋ｇ３＋ｇ４）／４
図５は、原画像とボカシ画像の一例を示す説明図である。（ａ）は原画像、（ｂ）はボカシ画像である。
【００３３】
ボカシ画像登録部１３は、前記のようにして、ボカシ画像を生成すると、そのボカシ画像の画像データをボカシ画像記憶部１４に登録する（ステップＳＴ６）。
【００３４】
次に、高鮮明度の原画像が交換される際の処理内容を説明する。
〔２−３．ボカシ画像の公開と交換申込〕
すなわち、上記のように生成、登録されたボカシ画像を、ボカシ画像公開部１５が、各会員に対し所定のウェブサイトで閲覧に応じることにより公開し、ボカシ画像より高鮮明度の例えば原画像については、交換申込受付部１６が交換申込を受け付ける。
具体的には、例えば、会員Ｂが、サーバ１により公開されているボカシ画像の閲覧を希望する場合、ユーザ端末３を操作して、ボカシ画像の閲覧要求を通信ネットワーク４経由でサーバ１に送信する。ここで、「ボカシ画像の閲覧要求」は、ユーザ端末（２，３など）がサーバ１に対して、ボカシ画像が掲載されている画像交換申込画面ＭＧなどウェブページの画像データを要求する制御信号であり、例えば、画像登録が行われている会員の一覧表ページや、検索結果表示ページのＵＲＬなど、具体的内容は自由である。
【００３５】
サーバ１のボカシ画像公開部１５は、ユーザ端末３からボカシ画像の閲覧要求を受信すると（図３のステップＳＴ１１）、ボカシ画像記憶部１４により記憶されているボカシ画像の画像データを取り出し、画像登録が行われている会員のボカシ画像が掲載されている画像交換申込画面ＭＧを生成し（ステップＳＴ１２）、その画面の画面データ（例えば、そのウェブページを表示するためのＨＴＭＬファイル、画像ファイルなど）を通信ネットワーク４経由で閲覧要求元のユーザ端末３に送信する（ステップＳＴ１３）。
【００３６】
ユーザ端末３は、サーバ１から画像交換申込画面ＭＧの画面データを受信すると、例えば、ブラウザなどのアプリケーションソフトを使用して、その画像交換申込画面ＭＧをディスプレイに表示する。図１の例では、会員Ｂのユーザ端末３に表示されている画像交換申込画面ＭＧでは、会員ＡとＤの各ボカシ画像の隣に、それぞれのプロフィールが掲載され、画像交換申込の各チェック欄が設けられている。
なお、図１の画像交換申込画面ＭＧにおいて、各ボカシ画像の下に表示されているスライドバー状の図柄は、当該ボカシ画像の登録時に登録者が指定した不鮮明処理の程度（ボカシレベル）を示すもので、詳細は第３実施形態で説明するので、第１実施形態では省略可能であり、説明も省略する。画像交換確認画面ＫＧについても同様である。
【００３７】
会員Ｂが画像交換申込画面ＭＧに掲載されているボカシ画像を見て、鮮明な画像を確認してみたいと思う相手がいれば、ユーザ端末３を操作して、画像交換申込画面ＭＧ中の画像交換申込のチェック欄にチェックを入れる。ここでは、説明の便宜上、会員Ｂが、会員Ａに対応するチェック欄にチェックを入れるものとする。
【００３８】
ユーザ端末３は、会員Ｂが、会員Ａに対応するチェック欄にチェックを入れて、「決定」ボタンをクリックすると、会員Ａに対する画像交換の申込要求を通信ネットワーク４経由でサーバ１に送信する。ここで、「画像交換の申込要求」は、ユーザ端末３がサーバ１に対して、鮮明な画像の交換を要求する制御信号であり、少なくとも、どのチェック欄にチェックを入れた状態で決定ボタンを操作したかの情報を含む。
【００３９】
〔２−４．交換の確認〕
上記のような交換申込に対しては、交換確認部１７が、さらに相手方からの同意すなわち確認を受け付ける。すなわち、サーバ１の交換申込受付部１６は、ユーザ端末３から会員Ａに対する画像交換の申込要求を受信すると（ステップＳＴ１４）、会員Ａに対する画像交換の申込を受け付けて（ステップＳＴ１５）、画像交換確認画面ＫＧの生成を交換確認部１７に指示する（ステップＳＴ１６）。
【００４０】
交換確認部１７は、交換申込受付部１６から画像交換確認画面ＫＧの生成指示を受けると、ボカシ画像記憶部１４から画像交換の申込要求元である会員Ｂのボカシ画像の画像データを取り出し、申込者である会員Ｂのボカシ画像が掲載されている画像交換確認画面ＫＧを生成し（ステップＳＴ１７）、この画像交換確認画面ＫＧの画面データを通信ネットワーク４経由で相手方である会員Ａのユーザ端末２に送信する（ステップＳＴ１８）。
【００４１】
ユーザ端末２は、サーバ１から画像交換確認画面ＫＧの画面データを受信すると、例えば、ブラウザなどのアプリケーションソフトを使用して、その画像交換確認画面ＫＧをディスプレイに表示する。図１の例では、会員Ａのユーザ端末２に表示されている画像交換確認画面ＫＧには、会員Ａに興味を持って画像交換を申し込んで来ている会員Ｂ及びＣの各ボカシ画像の隣に、それぞれのプロフィールとともに、画像交換の申込に応じる場合にチェックを入れるチェック欄が設けられている。
【００４２】
会員Ａが画像交換確認画面ＫＧに掲載されているボカシ画像を見て、画像交換の申込に応じてもよいと思う人がいれば、ユーザ端末２を操作して、画像交換に応じる人のチェック欄にチェックを入れる。ここでは、説明の便宜上、会員Ａが、会員Ｂに対応するチェック欄にチェックを入れるものとする。
なお、各会員が、画像交換申込画面ＭＧや画像交換確認画面ＫＧに掲載されているボカシ画像を見る際、自らのユーザ端末を操作して、所望のボカシ画像に対しマウスクリックなど所定操作を行った場合に、そのボカシ画像の拡大画像が表示されるようにしてもよい。
【００４３】
ユーザ端末２は、相手方である会員Ａが、申込者である会員Ｂに対応するチェック欄にチェックを入れて、「決定」ボタンをクリックすると、会員Ｂとの画像交換に応じる旨を示す応答信号を通信ネットワーク４経由でサーバ１に送信し、サーバ１の交換確認部１７は、この応答信号を受信すると（ステップＳＴ１９）、会員Ａと会員Ｂ間における原画像の交換を画像交換部１９に指示するとともに（ステップＳＴ２０）、会員Ａと会員Ｂについて、鮮明な原画像の交換を行っている旨の組み合わせ情報を、画像交換実施者記憶部１８に格納する。
【００４４】
〔２−５．画像交換の実行〕
上記のように交換の同意が確認されると、画像交換部１９が、実際の交換を実現する。すなわち、画像交換部１９は、交換確認部１７から会員Ａと会員Ｂ間における原画像の交換指示を受けると、原画像記憶部１２から会員Ａ，Ｂの原画像の画像データを取り出して、会員Ａの原画像の画像データを通信ネットワーク４経由でユーザ端末３に送信し、会員Ｂの原画像の画像データを通信ネットワーク４経由でユーザ端末２に送信する（ステップＳＴ２１）。
【００４５】
ユーザ端末２は、サーバ１から会員Ｂの原画像の画像データを受信すると、例えば、ウェブブラウザなどのアプリケーションソフトを使用して、その会員Ｂの原画像をディスプレイに表示する。これにより、会員Ａは、会員Ｂの鮮明な顔写真を見ることができ、会員Ｂとの交際判断に役立てることができる。同様に、ユーザ端末３の側でも、サーバ１から受信した会員Ａの鮮明な原画像を表示し、会員Ｂによる交際判断に役立てる。
なお、会員Ａ，Ｂが相手方の原画像を見る際、ユーザ端末２，３を操作して、原画像の拡大画像が表示されるようにしてもよい。
【００４６】
〔３．第１実施形態の効果〕
以上で明らかなように、この第１実施形態によれば、不特定者の一方的な画像の閲覧による個人の特定可能性を軽減して、交際紹介システムの利用を促進することができる。
また、鮮明な画像を見せてもよいと思われる相手とは、鮮明な画像を相互に交換することができるため、個人が特定される可能性を軽減しつつ、相手の容姿をはっきり確認することができる。
【００４７】
特に、この第１実施形態では、画像交換部１９がボカシ画像より鮮明度が高い画像を提示するに際して、相手方Ａの原画像を申込者Ｂに提示するとともに、申込者Ｂの原画像を相手方Ａに提示するようにしたので、最も鮮明度が高い画像が交換されるようになり、その結果、相手の容姿をはっきり確認することができる。
【００４８】
なお、この第１実施形態では、ボカシ画像より鮮明度が高い画像として原画像を提示するものについて示したが、これは一例に過ぎず、ボカシ画像より鮮明度が高い画像であればよい。例えば、ボカシレベルが、ボカシ画像公開部１５により公開されているボカシ画像と原画像の中間に位置している画像を提示するものなどが考えられる。
なお、「ボカシレベル」は、ボカシ画像の不鮮明度の意であり、いくつかの段階から選択するものでも、無段階に調整可能なものでもよいが、ボカシレベルが高いほど、ボカシ画像の鮮明度は低くなるもので、以下単に「レベル」とも略称する。
【００４９】
〔４．第２実施形態〕
第２実施形態は、画像交換部１９が、申込者Ｂと相手方Ａ間の交流の進み具合を判別し、交流の進み具合が大きい程、申込者Ｂ及び相手方Ａに提示する画像のボカシレベルを低減する例で、以下、画像交換部１９の処理内容を中心に具体的に説明する。
【００５０】
すなわち、交換確認部１７は、前記第１実施形態と同様にして、ユーザ端末２から会員Ｂとの画像交換に応じる旨を示す応答信号を受信すると、会員Ａと会員Ｂ間における鮮明な画像の交換を画像交換部１９に指示するが、第２実施形態では、画像交換部１９は、会員ＡとＢ間の鮮明な画像の交換指示を受けると、会員Ａと会員Ｂ間の交流の進み具合を判別する。
【００５１】
例えば、会員ＡとＢが、本交際紹介システム上の交流サービス（交流サービスには、予めレベル番号が付与されている）、例えば「チャットルーム」を利用して交流を図っていれば、交流の進み度が“１”、互いのＩＤ（例えば、一般には公開していない本交際紹介システム中の日記などを見るために必要なＩＤ）を交換していれば、交流の進み度が“２”、仮メールアドレスを交換していれば、交流の進み度が“３”、本メールアドレスを交換していれば、交流の進み度が“４”のように判別することが考えられる。
なお、本交際紹介システム自体の何らかの交流機能を前提とした前記のような判別は必須ではなく、他のウェブサイトとの連携や、会員Ａ，Ｂなど当事者からの自己申告に基く判別なども考えられる。
【００５２】
そして、交換確認部１７は、交流サービスの個々に付与されているレベル番号と、会員Ａと会員Ｂがどの前記交流サービスを利用したかの情報とに基いて、会員Ａと会員Ｂ間の交流の進み具合を判別すると、交流の進み具合に応じて、会員Ａ，Ｂに提示する画像のボカシレベルを決定する。
例えば、交流の進み具合が“１”であれば、ボカシレベル８０％、交流の進み具合が“２”であれば、レベル６０％、交流の進み具合が“３”であれば、レベル３０％、交流の進み具合が“４”であれば、レベル０％のように、画像のボカシレベルを決定する。
【００５３】
交換確認部１７は、上記のように画像のボカシレベルを決定すると、原画像記憶部１２から会員Ａ，Ｂの原画像の画像データを取り出して、双方の原画像につき、決定した前記レベルボカシ画像を生成したうえ、通信ネットワーク４経由でそれぞれ相手のユーザ端末２，３に対し、閲覧に応じるなどの形で送信する。
ここで、決定したレベルに応じたボカシ画像の生成方法は、ボカシ画像登録部１３の画像処理方法と同様であるため説明を省略するが、ボカシ画像登録部１３が、有り得る複数のレベルの各ボカシ画像をそれぞれ事前に生成してボカシ画像記憶部１４に予め登録するようにしていれば、交換確認部１７はボカシ画像記憶部１４から該当するレベルのボカシ画像の画像データを取り出すだけでよく、システム応答性が改善される。
【００５４】
以上のように、第２実施形態によれば、交換確認部１７が申込者Ｂ及び相手方Ａに画像を提示する際、通信ネットワーク上に存在する一又は二以上の交流サービスの個々に予め付与したレベル番号と、申込者Ｂと相手方Ａがどの交流サービスを利用したかの情報とに基いて、申込者Ｂと相手方Ａ間の交流の進み具合を判別し、交流の進み具合の大きさに応じてボカシレベルを低減した画像を、申込者Ｂ及び相手方Ａに提示するようにしているので、鮮明な画像を見せてもよいと思われる相手でも、直ちに鮮明度が高い原画像の閲覧を許可せずに、交流の進み具合に応じて、閲覧を許可する画像の鮮明度を段階的に高めることができる。このため、交流の進み具合に応じて、個人が特定されることによる不利益を負担することができる画像閲覧制御装置が得られる。
【００５５】
〔５．第３実施形態〕
第３実施形態は、ボカシ画像登録部１３がボカシ画像を生成する際、その原画像に対するボカシレベルの設定を受け付け、そのレベルに応じて原画像の鮮明度を調節するようにしている。
また、ボカシ画像公開部１５がボカシ画像記憶部１４により記憶されているボカシ画像を公開する際、そのボカシ画像と一緒に、ボカシ画像登録部１３により設定が受け付けられたレベルを表示するようにしている。
さらに、交換確認部１７がボカシ画像記憶部１４から画像交換の申込要求元である会員のボカシ画像を取り出し、その会員のボカシ画像が掲載されている画像交換確認画面ＫＧを生成する際、そのボカシ画像と一緒に、ボカシ画像登録部１３により設定が受け付けられたレベルを表示するようにしている。
以下、ボカシ画像登録部１３、及びボカシ画像公開部１５及び交換確認部１７の処理内容を具体的に説明する。
【００５６】
〔５−１．レベルに応じたボカシ画像の生成と登録〕
ボカシ画像登録部１３は、例えば、画像収集部１１がユーザ端末２から会員Ａの原画像の画像データを収集すると、その原画像の画像データから標準のボカシレベル（例えば、レベル５０％）のボカシ画像を生成する。
ここでは、ボカシ画像登録部１３が標準のレベルのボカシ画像を生成するようにしているが、ユーザ端末２が原画像の画像データをサーバ１に送信する際、指定のレベルをサーバ１に送信するようにしていれば、指定のレベルのボカシ画像を生成する。
ボカシ画像登録部１３は、標準のレベルのボカシ画像を生成すると、そのボカシ画像と原画像が掲載されているボカシ画像作成画面ＳＧを生成し、そのボカシ画像作成画面ＳＧの画面データを画像収集部１１及び通信ネットワーク４経由でユーザ端末２に送信する。
【００５７】
ユーザ端末２は、サーバ１からボカシ画像作成画面ＳＧの画面データを受信すると、例えば、ブラウザなどのアプリケーションソフトを使用して、そのボカシ画像作成画面ＳＧをディスプレイに表示する。ここで、図６は、ボカシ画像作成画面ＳＧの作成例を示す説明図であり、このボカシ画像作成画面ＳＧでは、図６に示す通り、ボカシ画像生成時のレベル（標準のレベル）が表示されており、会員Ａがユーザ端末２を操作して、そのレベルの高低を調整することができる。
例えば、会員Ａが、ボカシ画像が鮮明過ぎると思えば、ボカシ画像のレベルが高くなるように調整し（図中、レベルを示すスライドバーを右側に移動する）、ボカシ画像がぼやけ過ぎていると思えば、ボカシ画像のレベルが低くなるように調整する（図中、レベルを示すスライドバーを左側に移動する）。
【００５８】
このとき、ユーザ端末２が、会員Ａにより調整されたレベルで、ボカシ画像作成画面ＳＧ中のボカシ画像のレベルを変更することができるアプリケーションソフト（例えば、Ａｊａｘ（Ａｓｙｎｃｈｏｎｏｕｓ  Ｊａｖａ（登録商標）  Ｓｃｒｉｐｔ）通信機能を使用して、Ｗｅｂページのリロードを伴わずに、サーバとＸＭＬ形式でデータのやり取りを進めることが可能なアプリケーションソフト）を実装している場合、ボカシ画像作成画面ＳＧ中のボカシ画像を更新する。
会員Ａは、レベルを調整して、最終的に納得するボカシ画像が得られれば、ボカシ画像作成画面ＳＧ中の「決定」ボタンをクリックする。
これにより、ユーザ端末２は、レベル変更後のボカシ画像の画像データを通信ネットワーク４経由でサーバ１に送信する。
サーバ１のボカシ画像登録部１３は、画像収集部１１がユーザ端末２からボカシ画像の画像データを受信すると、そのボカシ画像の画像データをボカシ画像記憶部１４に登録する。
【００５９】
ここでは、ユーザ端末２がボカシ画像のレベルを変更することができるアプリケーションソフトを実装しているものとして説明したが、そのようなソフトを実装していない場合には、ユーザ端末２が会員Ａによる調整後のレベルをサーバ１に送信するようにする。
この場合、サーバ１のボカシ画像登録部１３が、ユーザ端末２から送信されたレベルのボカシ画像を生成し、そのボカシ画像の画像データをユーザ端末２に送信するようにする。
これにより、会員Ａは、レベル調整後のボカシ画像を確認することができる。
【００６０】
〔５−２．レベルに応じたボカシ画像の表示〕
サーバ１のボカシ画像公開部１５は、ボカシ画像登録部１３がレベル変更後のボカシ画像の画像データをボカシ画像記憶部１４に登録したのち、例えば、ユーザ端末３からボカシ画像の閲覧要求を受信すると、前記第１実施形態と同様にして、ボカシ画像記憶部１４に記憶されているボカシ画像の画像データを取り出し、画像登録が行われている会員のボカシ画像が掲載されている画像交換申込画面ＭＧを生成する。
ただし、この第３実施形態では、ボカシ画像公開部１５が、ボカシ画像が掲載されている画像交換申込画面ＭＧを生成する際、当該ボカシ画像のレベルを画像交換申込画面ＭＧに掲載する。
これにより、例えば、画像交換申込画面ＭＧのボカシ画像を見ている会員Ｂが、そのレベルから原画像の鮮明度を推測することができるようになる。
【００６１】
また、交換確認部１７は、交換申込受付部１６から画像交換確認画面ＫＧの生成指示を受けると、前記第１実施形態と同様にして、ボカシ画像記憶部１４から画像交換の申込要求元である会員Ｂのボカシ画像を取り出し、会員Ｂのボカシ画像が掲載されている画像交換確認画面ＫＧを生成する。
ただし、この第３実施形態では、交換確認部１７が、ボカシ画像が掲載されている画像交換確認画面ＫＧを生成する際、当該ボカシ画像のレベルを画像交換確認画面ＫＧに掲載する。
これにより、例えば、画像交換確認画面ＫＧのボカシ画像を見ている会員Ａが、そのレベルから原画像の鮮明度を推測することができるようになる。
【００６２】
〔５−３．第３実施形態の効果〕
以上で明らかなように、この第３実施形態によれば、ボカシ画像登録部１３が、画像収集部１１により収集された画像に対するボカシレベルの設定を受け付け、そのボカシレベルに応じて画像収集部１１により収集された画像の鮮明度を低減するように構成されているので、鮮明度が低いボカシ画像を登録する際に、会員がボカシ画像のボカシレベルを自由に設定することができる。このため、会員が、他の会員から交際申込が得られる可能性と、公開されることにより個人が特定される不利益を比較考量して、自分のボカシ画像を生成することができる。
【００６３】
また、この第３実施形態によれば、ボカシ画像公開部１５及び交換確認部１７が、ボカシ画像を提示する際、そのボカシ画像と一緒に前記ボカシ画像のボカシレベルを表示するように構成されているので、ボカシ画像を見ている会員が、そのボカシレベルから原画像の鮮明度を推測することができるようになり、その結果、画像交換の是非を慎重に行える画像閲覧制御装置が得られる。
【００６４】
〔６．第４実施形態〕
第４実施形態では、画像交換の申込に応じるに際して、どのボカシレベルの画像までなら、画像交換の申込に応じる用意がある旨を相手方に通知するようにしている。
以下、具体的な処理内容を説明する。
【００６５】
例えば、ユーザ端末２は、前記第１実施形態と同様にして、サーバ１の交換確認部１７から画像交換確認画面ＫＧの画面データを受信すると、例えば、ブラウザなどのアプリケーションソフトを使用して、その画像交換確認画面ＫＧをディスプレイに表示する。
ただし、この第４実施形態では、画像交換の申込に応じる場合にチェックを入れるチェック欄が、数段階のレベル毎に設けられている。図７は、画像交換確認画面ＫＧの作成例を示す説明図であり、図７の例では、４つのレベルに応じて、４つのチェック欄が設けられている。
例えば、会員Ａがレベル“３”の画像までなら、画像交換の申込に応じる用意がある場合、レベル“３”に対応するチェック欄にチェックを入れるようにする。
【００６６】
ユーザ端末２は、会員Ａが、例えば、会員Ｂのレベル“３”に対応するチェック欄にチェックを入れて、「決定」ボタンをクリックすると、レベル“３”の画像までなら、画像交換の申込に応じる用意がある旨を示す応答信号（以下、「ボカシレベル信号」又は「レベル信号」と称する）を通信ネットワーク４経由でサーバ１に送信する。
サーバ１の交換確認部１７は、ユーザ端末２からレベル信号を受信すると、そのレベル信号を通信ネットワーク４経由で申込者である会員Ｂのユーザ端末３に転送する。
【００６７】
ユーザ端末３は、サーバ１からレベル信号を受信すると、例えば、ブラウザなどのアプリケーションソフトを使用して、そのレベル信号が示す情報、即ち、「ボカシレベル“３”の画像までなら、画像交換の申込に応じる用意がある」旨をディスプレイに表示する。
会員Ｂは、レベル“３”の画像の交換に応じる場合、ユーザ端末３を操作して、レベル“３”の画像の交換に応じる旨を示す応答信号を通信ネットワーク４経由でサーバ１に送信する。
【００６８】
サーバ１の交換確認部１７は、ユーザ端末３からレベル“３”の画像の交換に応じる旨を示す応答信号を受信すると、会員Ａと会員Ｂ間におけるレベル“３”の画像の交換を画像交換部１９に指示するとともに、会員Ａと会員Ｂを、レベル“３”の画像の交換を行っている旨の組み合わせ情報として、画像交換実施者記憶部１８に格納する。ここで、図８は、相手方と申込者の組み合わせ情報を示す説明図である。
【００６９】
画像交換部１９は、交換確認部１７から会員Ａと会員Ｂ間におけるレベル“３”の画像の交換指示を受けると、ボカシ画像記憶部１４から会員Ａ，Ｂのレベル“３”のボカシ画像の画像データを取り出して、会員Ａのレベル“３”のボカシ画像の画像データを通信ネットワーク４経由でユーザ端末３に送信し、会員Ｂのレベル“３”のボカシ画像の画像データを通信ネットワーク４経由でユーザ端末２に送信する。
ただし、レベル“３”のボカシ画像の画像データがボカシ画像記憶部１４に記憶されていない場合、原画像記憶部１２から原画像の画像データを取り出し、その原画像の鮮明度を低減して、レベル“３”のボカシ画像を生成するようにしてもよい。
【００７０】
以上で明らかなように、この第４実施形態によれば、交換確認部１７は、相手方Ａが画像交換の申込に応じる場合、どのボカシレベルの画像まで交換を許容するかを確認して、前記レベルを申込者Ｂに提示し、申込者（例えば、会員Ｂ）が前記レベルの画像の交換に応じるかを確認するように構成され、画像交換部１９は、交換確認部１７により前記レベルの画像の交換に応じることが確認されると、相手方Ａの前記レベルの画像を申込者Ｂに提示するとともに、申込者Ｂの前記レベルの画像を相手方Ａに提示するように構成されているので、交換してもよいと思う画像のレベルを相手方に通知して、そのレベルでの画像交換を実現することができる。このため、個人が特定される可能性を更に軽減することができる画像閲覧制御装置が得られる。
【００７１】
〔７．第５実施形態〕
第５実施形態では、画像収集部１１がユーザ端末２，３から原画像の画像データを収集する際、ユーザ端末２，３からボカシパターンの指定情報を受信すると、ボカシ画像登録部１３が当該ボカシパターンにしたがってボカシ画像を生成するようにしている。
具体的には、以下の通りである。
【００７２】
画像収集部１１は、ユーザ端末２，３から画像の登録要求を受信することで、原画像の送信要求をユーザ端末２，３に送信する際、ボカシパターンの指定要求もユーザ端末２，３に送信する。
ボカシパターンの指定要求は、好みのボカシパターンの指定を要求する制御信号を意味しており、例えば、顔写真の全体をぼかすパターン、目などの一部を強めにぼかすパターン、モザイクを用いてぼかすパターンなどをユーザ端末２，３に送信することで、何れかのパターンの中から、好みのボカシパターンの選択を促すものである。
これにより、会員Ａ，Ｂがユーザ端末２，３を操作して、好みのボカシパターンを選択する。なお、このボカシパターンの選択に加えて、ボカシの種類についての指摘要求をユーザ端末２，３に送信するようにしてもよい。
【００７３】
ボカシ画像登録部１３は、画像収集部１１がユーザ端末２，３から原画像の画像データを収集する際、ユーザ端末２，３からボカシパターンの指定情報を受信すると、ボカシ画像登録部１３が当該ボカシパターンにしたがってボカシ画像を生成する。
例えば、顔写真の全体をぼかすパターンを選択していれば、顔写真の全体がぼけているボカシ画像を生成する。
【００７４】
以上で明らかなように、この第５実施形態によれば、ユーザ端末２，３からボカシパターンの指定情報を受信すると、ボカシ画像登録部１３が当該ボカシパターンにしたがってボカシ画像を生成するようにしているので、会員Ａ，Ｂが納得できるボカシ画像を登録することができる。
【００７５】
〔８．第６実施形態〕
第６実施形態においては、ボカシ画像登録部１３がボカシ画像を生成したのち、その原画像のデータサイズとボカシ画像のデータサイズとの差分を算出し、その差分を所定の基準値と比較することで、原画像の鮮明度をチェックするようにしている。
【００７６】
ボカシ画像登録部１３は、例えば、その差分が所定の基準値より小さい場合、原画像の鮮明度が低い可能性が高いので、そのボカシ画像の登録をやめて、その旨を画像収集部１１に通知する。
画像収集部１１は、ボカシ画像登録部１３から当該通知を受けると、原画像記憶部１２に登録した原画像を破棄し、原画像の差し替え要求を原画像の送信元のユーザ端末に送信する。
これにより、鮮明度が低い原画像の登録を防止することができる。
【００７７】
ここでは、ボカシ画像登録部１３が原画像のデータサイズとボカシ画像のデータサイズとの差分を所定の基準値と比較することで、原画像の鮮明度をチェックするものについて示したが、原画像のデータサイズと所定の基準サイズを比較することで、原画像の鮮明度をチェックするようにしてもよい。
【００７８】
〔９．変形例〕
申込者の職業（例えば弁護士）や趣味（例えばアウトドア）、嗜好（例えばフランスワイン）が、相手方の希望に一致する場合には、他の申込者に提示する画像よりも、比較的鮮明な画像（ボカシレベル低程度）を予め提示するように設定してもよい。これにより、相手方の希望に合った特定の交換申込側の相手との画像の交換の成立を促進させることができる。
【図面の簡単な説明】
【００７９】
【図１】この発明の第１実施形態による交際紹介システムの画像閲覧制御装置を示す構成図である。
【図２】この発明の第１実施形態による画像閲覧制御装置がボカシ画像を登録する際の処理内容を示すフローチャートである。
【図３】この発明の第１実施形態による画像閲覧制御装置が鮮明度の高い原画像を交換する際の処理内容を示すフローチャートである。
【図４】画素値を平均値に置き換えることで、ボカシ画像を生成する画像処理を示す説明図である。
【図５】原画像とボカシ画像の一例を示す説明図である。
【図６】ボカシ画像作成画面の作成例を示す説明図である。
【図７】画像交換確認画面の作成例を示す説明図である。
【図８】会員Ａと会員Ｂの組み合わせ情報を示す説明図である。
【符号の説明】
【００８０】
１  画像閲覧制御装置（サーバ）
２，３  ユーザ端末
４  通信ネットワーク
１１  画像収集部（画像収集手段）
１２  原画像記憶部
１３  ボカシ画像登録部（ボカシ画像登録手段）
１４  ボカシ画像記憶部
１５  ボカシ画像公開部（ボカシ画像公開手段）
１６  交換申込受付部（交換申込受付手段）
１７  交換確認部（交換確認手段）
１８  画像交換実施者記憶部
１９  画像交換部（画像交換手段）
ＫＧ  画像交換確認画面
ＭＧ  画像交換申込画面
ＳＧ  ボカシ画像作成画面
【図１】
2010086214.tif 000003
【図２】
2010086214.tif 000004
【図３】
2010086214.tif 000005
【図４】
2010086214.tif 000006
【図５】
2010086214.tif 000007
【図６】
2010086214.tif 000008
【図７】
2010086214.tif 000009
【図８】
2010086214.tif 000010
【手続補正書】
【提出日】平成21年1月5日(2009.1.5)
【手続補正１】
【補正対象書類名】明細書
【補正対象項目名】００１３
【補正方法】変更
【補正の内容】
【００１３】
（４）（１）から（３）の前記ボカシ画像登録手段において、前記ボカシ画像公開手段は、ボカシ画像を提示する際、前記ボカシ画像と一緒に前記ボカシ画像のボカシレベルを表示するように構成され、前記ボカシレベルは、前記原画像と、鮮明度を所定の最大限度まで低減した画像と、の間の鮮明度レベルを示すようにしていてもよい。
この発明によれば、ボカシ画像を見ている紹介希望者が、そのボカシ画像のボカシレベルから原画像の鮮明度を推測することができるようになるため、画像交換の是非を慎重に行える画像閲覧制御装置が得られる。